(57)【特許請求の範囲】
【請求項１】
装填された光ディスクの種別を判別する光ディスクの判別方法において、
上記光ディスクのリードインゾーンに記載されたディスク情報によりＤＶＤ−ＲＯＭであることを検出した後、上記光ディスクが有するデータゾーンでのトラッキング動作指令を行ってトラッキングオン不可であると判断し、データゾーンにおけるデータ開始番地領域からフォーカスオンを行ってトラッキングエラー信号が検出されないと判断したときは、上記光ディスクをＤＶＤ Ｄｏｗｎｌｏａｄ規格のブランクディスクと判定するとともに、上記光ディスクの読み取り動作を停止する、
ことを特徴とする光ディスクの判別方法。
【請求項２】
前記トラッキング動作は、上記光ディスクの半径方向に対して移動しつつ行うことを特徴とする請求項１記載の光ディスクの判別方法。
【請求項３】
装填された光ディスクの情報の記録およびまたは再生を行う光ディスク装置であって、
上記光ディスクのリードインゾーンに記載されているディスク情報によりＤＶＤ−ＲＯＭであることを識別する第一識別手段と、
上記光ディスクのデータゾーンにおいてトラッキングオンの制御を行い、トラッキングオン不可であると判断したきはトラッキングオン不可の出力をするトラッキング制御手段と、
上記トラッキング制御手段のトラッキングオン不可の出力により、上記光ディスクのデータゾーンにおけるデータ開始番地領域からフォーカスオンを行いトラッキングエラー信号の有無を判定する第二識別手段と、
上記第一識別手段によって論理的にＤＶＤ−ＲＯＭであると識別された場合に、上記トラッキング制御手段による出力に基づき上記第二識別手段のトラッキングエラー信号が無いと判定されたときは上記光ディスクをＤＶＤ Ｄｏｗｎｌｏａｄ規格のブランクディスクであると判定するとともに、上記光ディスクの読み取り動作を停止する判別手段と
を備えたことを特徴とする光ディスク装置。
【請求項４】
前記トラッキング制御手段は、上記光ディスクの半径方向に対して移動しつつトラッキングオンの制御を行うことを特徴とする請求項３記載の光ディスク装置。
【請求項５】
情報処理装置にインストールすることにより、情報処理装置に請求項３または４に記載の光ディスク装置の第一識別手段、トラッキング制御手段、第二識別手段、および判別手段の機能を実現させるプログラム。
【発明の詳細な説明】
【技術分野】
【０００１】
本発明は、光ディスクの判別方法、その判別方法を実現する光ディスク装置およびプログラムに関する。
【背景技術】
【０００２】
光ディスクの一形態であるＤＶＤ（ Digital Versatile Disc ）には種々の規格があり、利用形態の変化に応じて新しい規格が設定されている。このため、ＤＶＤを光ディスク装置に装填したときに、装填されたＤＶＤの種別を判別することが必要であり、そのＤＶＤの種別を判別する技術として、以下の特許文献に開示される提案が知られている。
【特許文献１】特開２００４−２４６９９０号公報
【特許文献２】特開２０００−３１５３５５号公報
【発明の開示】
【発明が解決しようとする課題】
【０００３】
ところで、新しいＤＶＤの規格として、ＤＶＤ Ｄｏｗｎｌｏａｄ規格が提案されている。このＤＶＤ Ｄｏｗｎｌｏａｄ規格は、コンテンツサプライヤがＤＶＤを直接消費者に供給するのではなく、コンテンツサプライヤからオーソライズされたサービスプロバイダなどが、コンテンツをＤＶＤに記録して消費者にＤＶＤを提供する、あるいはオーソライズされた業者の店頭でＤＶＤのユーザが購入したブランクディスクにコンテンツを書き込む等の各利用形態を想定した規格である。
【０００４】
このＤＶＤ Ｄｏｗｎｌｏａｄ規格では、ＤＶＤのコントロールデータゾーン（制御情報が記録される領域、以下で述べるリードインゾーンとほぼ同義である）に、違法なコピーを防止、及び違法コンテンツ再生防止など、著作権を保護するための制御信号があらかじめ記録される規格（ＥＳＴ２の規格）がある。
【０００５】
すなわち、コントロールデータゾーンには、つぎの４つの情報が記録される。
１）Ｂｏｏｋ  Ｔｙｐｅ
２）コンパチブル・パートバージョン
３）ディスクインジケータ
４）Ｍａｘｉｍｕｍ  ｒｅｃｏｒｄｅｄ  ａｄｄｒｅｓｓ
【０００６】
ここで、コントロールデータゾーンのＢｏｏｋ  ＴｙｐｅにＤＶＤ−ＲＯＭと記載されていると、論理的にはＤＶＤ−ＲＯＭとして認識され、データゾーンには、データが記録されていることが前提であるものと認識される。
【０００７】
このため、仮に、データゾーンにデータが記録されていないブランクディスクが光ディスク再生装置に装填されると、光ディスク再生装置は、コントロールデータゾーンを読み取って、その光ディスクをＢｏｏｋ  Ｔｙｐｅの記載に基づいて論理的には、ＤＶＤ−ＲＯＭと認識する。そのため、次に、データゾーンのシークを行い、記録されたデータの読み取り処理に移る。
【０００８】
しかし、ブランクディスクには、そのデータゾーンにデータが記録されていないので、データゾーンのデータ読み取り動作に移っても、データの読み取りができない。このため、光ディスク装置は、データ読み取り動作を無限に継続する無限ループ動作に陥る可能性がある。また、読み取るべきデータがないため、データ処理装置側で障害が発生したものとして誤動作を生ずるおそれがある。
【０００９】
本発明は、上述の問題を解決するもので、データゾーンにデータの記録がないＤＶＤ Ｄｏｗｎｌｏａｄ規格のブランクディスクであることを簡単に判別することを目的とする。
【課題を解決するための手段】
【００１０】
本発明は、装填された光ディスクの種別を判別する光ディスクの判別方法において、光ディスクのリードインゾーンに記載されたディスク情報によりＤＶＤ−ＲＯＭであることを検出した後、光ディスクが有するデータゾーンでのトラッキング動作指令を行ってトラッキングオン不可であると判断し、データゾーンにおけるデータ開始番地領域からフォーカスオンを行ってトラッキングエラー信号が検出されないと判断したときは、光ディスクをＤＶＤ Ｄｏｗｎｌｏａｄ規格のブランクディスクと判定するとともに、光ディスクの読み取り動作を停止することを特徴とする。
【００１２】
また、トラッキング動作は、光ディスクの半径方向に対して移動しつつ行うことができる。
【００１３】
別の本発明は、装填された光ディスクの情報の記録およびまたは再生を行う光ディスク装置であって、光ディスクのリードインゾーンに記載されているディスク情報によりＤＶＤ−ＲＯＭであることを識別する第一識別手段と、光ディスクのデータゾーンにおいてトラッキングオンの制御を行い、トラッキングオン不可であると判断したきはトラッキングオン不可の出力をするトラッキング制御手段と、トラッキング制御手段のトラッキングオン不可の出力により、光ディスクのデータゾーンにおけるデータ開始番地領域からフォーカスオンを行いトラッキングエラー信号の有無を判定する第二識別手段と、第一識別手段による論理的にＤＶＤ−ＲＯＭであると識別された場合に、上記トラッキング制御手段による出力に基づき第二識別手段のトラッキングエラー信号が無いと判定されたときは光ディスクをＤＶＤ Ｄｏｗｎｌｏａｄ規格のブランクディスクであると判定するとともに、光ディスクの読み取り動作を停止する判別手段とを備えたことを特徴とする。
【００１５】
トラッキング制御手段は、光ディスクの半径方向に対して移動しつつトラッキングオンの制御を行うことができる。
【００１６】
また、別の本発明は、情報処理装置にインストールすることにより、情報処理装置に光ディスク装置の第一識別手段、トラッキング制御手段、第二識別手段、および判別手段の機能を実現させるプログラムである。
【発明の効果】
【００１７】
本発明によれば、ＤＶＤ Ｄｏｗｎｌｏａｄ規格のブンランクディスクであることを簡単に判別し誤動作を防止することができる。
【発明を実施するための最良の形態】
【００１８】
以下、図面を参照して、本発明の実施の形態を説明する。
【００１９】
図１は、光ディスク装置の構成の一部を示すものである。この光ディスク装置は、装填されたＤＶＤ１がモータ２によって回転し、これを光ピックアップ（図１ではＰ／Ｕと示す）３によりＤＶＤ１内に記録されたデータを読み取る再生装置の例である。
【００２０】
光ピックアップ３は、読み取られた信号を処理し、その処理した信号に基づいて光ピックアップ３のサーボ制御を行う信号処理／サーボ制御部４と接続されている。信号処理／サーボ制御部４は、光ピックアップ３により読み取られた信号を処理してその処理結果を出力する信号処理の機能と、これらの読み取られた信号に基づいて、光ピックアップ３のフォーカス、トラッキングのサーボ制御を行うサーボ制御の機能をもつ。Ｂｏｏｋ  Ｔｙｐｅ情報の検出／出力、その他の制御信号の検出／出力、トラッキングエラー信号の検出／出力を行う機能を有する。この信号処理／サーボ制御部４は、ＲＦフロントエンドおよびディジタル信号処理の機能、光ピックアップ３のアクチュエータであるフォーカスサーボ駆動部、トラッキングサーボ駆動部に対してサーボ制御信号を与えるサーボ制御部の機能をもつものである。
【００２１】
信号処理／サーボ制御部４は、リードインゾーンに記録されているディスク情報を識別する点、光ピックアップに対してトラッキング動作指示を行い、トラッキング失敗になるとトラッキングオン不可の出力をする点、およびトラッキングオン不可の出力を得、データゾーンにおいてフォーカスオンしてトラッキングエラー信号の有無を検出する点で、第一識別手段、トラッキング制御手段、第二識別手段に対応する。
【００２２】
ディスク判別部５は、信号処理／サーボ制御部４から出力されるディスク情報検出信号、トラッキングオン不可の信号およびＴＥ（トラッキングエラー）検出信号が入力され、ＤＶＤ１がどのような種類のものかを判別し、その判別出力をする判別手段である。この判別出力により、光ディスク再生装置は、装填されたＤＶＤ１がＤＶＤ Ｄｏｗｎｌｏａｄ規格のブランクディスクであると判定された場合、そのＤＶＤ１の読み取り動作を停止し、再生停止動作あるいはＤＶＤ１そのものをイジェクトする処理を行うことができる。
【００２３】
つぎに、図２のフローチャートを参照して、光ディスクの判別方法について説明する。
【００２４】
図２は、装填された光ディスクがＤＶＤ１と判別された後に、当該ＤＶＤ１がＤＶＤ Ｄｏｗｎｌｏａｄ規格のＤＶＤであり、データゾーンにデータの書き込みがないブランクディスクであると判定する一連の処理を示すフローチャートである。
【００２５】
まず、光ディスク装置は、光ピックアップ３をＤＶＤ１の内側にあるコントロールデータが記録されているリードインゾーンにシークし、リードインゾーンの読み取りを行う（ステップＳ１）。信号処理／サーボ制御部４は、そのリードインゾーンにおけるコントロールデータゾーンに記載されているＢｏｏｋ  Ｔｙｐｅを読み、論理的なディスク情報を判別する（ステップＳ２）。Ｂｏｏｋ  ＴｙｐｅにＤＶＤ−ＲＯＭ以外のディスク情報が記載されている場合は、ＤＶＤ−ＲやＤＶＤ−ＲＷなどと記載されており、それらのディスクであると判定する（ステップＳ７）。
【００２６】
一方、Ｂｏｏｋ  ＴｙｐｅがＤＶＤ−ＲＯＭであると検出されると、ＤＶＤ１は論理的にはＤＶＤ−ＲＯＭと判断されるので、信号処理／サーボ制御部４は、光ピックアップ３をデータゾーンに移動し、トラッキング動作指令を行う（ステップＳ３）。このトラッキング動作は、光ピックアップ３を光ディスク１の半径方向にシークさせながら行う。信号処理／サーボ制御部４は、このトラッキング動作指令に基づきトラッキングが可能かどうか判別する（ステップＳ４）。トラッキングオン不可（トラッキング失敗）に終わったときは、信号処理／サーボ制御部４は、その旨をディスク判別部５に出力する。信号処理／サーボ制御部４は、データゾーンの所定領域に対してフォーカスオンを行ってデータゾーンからデータの読み出しを行う（ステップＳ５）。この所定領域は、例えばデータゾーンの開始番地である30000hからであったり、あるいは最外周のトラックであれば、フォーカスオンのアドレス指定が固定であり、トラッキングエラー信号の検出制御が簡単になる利点がある。
【００２７】
信号処理／サーボ制御部４は、位相差方式（ＤＰＤ式  differencial phase detection）により、所定番地からトラッキングエラー信号の検出を行って、トラッキングエラー信号の有無を判別する（ステップＳ６）。この判別の結果、所定の振幅（レベル）を越えるトラッキングエラー信号が検出されないときは、信号処理／サーボ制御部４は、トラッキングエラー信号無の出力をディスク判別部５に出力する。
【００２８】
ディスク判別部５は、リードインゾーンでＢｏｏｋ  ＴｙｐｅがＤＶＤ−ＲＯＭであると検出され、かつ、トラッキングに失敗し、データゾーンの所定領域にフォーカスオンして、トラッキングエラー信号が検出されないときは、装填されたＤＶＤ１がＤＶＤ Ｄｏｗｎｌｏａｄ規格のブランクディスクであると判定する（ステップＳ７）。光ディスク装置は、当該ＤＶＤ１がブランクディスクであるとの判定により、再生動作を停止したり、あるいはイジェクト等の処理を行う（ステップＳ８）。ステップＳ６において、トラッキングエラー信号が検出された場合、あるいはステップＳ４において、トラッキングオンをしてもオフにならない場合は、データゾーンにデータが記録されているので、ＤＶＤ１をＤＶＤ−ＲＯＭであると判定し（ステップＳ１０）、再生動作に移行する（ステップＳ１１）。
【００２９】
データゾーンにデータが記録されている場合は、各トラックにデータ内容が「１」または「０」を示すピットとして記録されており、このピットを検出することで、通常トラッキングエラー信号は、所定幅の振幅変動、例えば数百ミリＶの出力変動幅ののこぎり状の波形として検出される。しかし、データゾーンにデータが記録されていない場合は、ピットが形成されていないので、トラッキングエラー信号としては、微小レベルの信号しか検出されない。このため、ブランクディスクでトラッキングエラー信号として、ピットが形成されていないレベルの信号しか検出されない場合は、信号処理／サーボ制御部４からはトラッキングエラー信号の検出が無いという出力がされる。
【００３０】
上述の実施の形態では、リードインゾーンからディスク情報を検出後、いったん、トラッキング動作指令（トラッキングオン）を行い、トラッキングオン不可（トラッキング失敗）になった場合に、データゾーンにフォーカスオンを行ってトラッキングエラー信号を検出するという順序をとるため、確実にデータゾーンにデータが記録されていないことを検出することができる利点がある。
【００３１】
このリードインゾーンからディスク情報を検出した場合に、データゾーンに対するトラッキング不可であることによって、データゾーンにフォーカスオンを行ってトラッキングエラー信号の検出を行って、ＤＶＤ Ｄｏｗｎｌｏａｄ規格のブランクディスクであるとの判別を行う発明は、制御用のプログラムを情報処理装置にインストールすることによっても実現できる。従来のＤＶＤ再生装置のディスク判別ソフトウェアの一部として、リードインゾーンからのディスク情報を識別する識別機能、トラッキング動作指令に対するトラッキング不可の出力を行うトラッキング制御機能、トラッキング制御手段のトラッキング不可の出力により、データゾーンの所定領域にフォーカスオンしてトラッキングエラー信号の有無を検出するトラッキングエラー信号識別機能、これらの出力に基づいてＤＶＤ Ｄｏｗｎｌｏａｄ規格のブランクディスクであると判別する判別機能を実現する制御プログラムをインストールすることにより、ＤＶＤ再生機で、ＤＶＤ Ｄｏｗｎｌｏａｄ規格のブランクディスクであることを判別することが可能である。このような制御用のプログラムは、ＣＤ−ＲＯＭ等の記録媒体に記録されることにより、情報処理装置内に容易にインストールすることができる。また、ネットワークを介して当該制御用プログラムを情報装置内にインストールすることもできる。
【００３２】
なお、上記実施の形態は、ＤＶＤ再生装置の例で説明したが、ＤＶＤ記録装置でも同様に実施できる。
【図面の簡単な説明】
【００３３】
【図１】本発明の実施の形態に係る光ディスク装置の構成の一部を示す図。
【図２】本発明の実施の形態の処理動作を示すフローチャート。
【符号の説明】
【００３４】
１  ＤＶＤ
２  モータ
３  光ピックアップ
４  信号処理／サーボ制御部（第一識別手段、第二識別手段、トラッキング制御手段）
５  ディスク判別部（ディスク判別手段）
【図１】
0005217466.tif 000002
【図２】
0005217466.tif 000003